(57)【要約】【課題】既存のアクティブな呼において通話中の、携帯電話を使用するターゲット・ユーザに対する優先ユーザのアクセス可能性を高める装置および方法を提供すること。【解決手段】装置（１００）の移動交換コンポーネント（１０２）が、一例では、割り込みを実行して、第１のユーザが、既存のアクティブな呼において通話中の、移動通信装置（１０６）を使用する第２のユーザと通信できるようにする。【選択図】図１
2005218113.tif 000002
【特許請求の範囲】
【請求項１】
移動通信装置（１０６）へ呼を経路指定し、かつ／または移動通信装置（１０６）から呼を経路指定する移動交換コンポーネント（１０２）を含む装置（１００）であって、
第１のユーザが、既存のアクティブな呼において通話中の前記移動通信装置（１０６）を使用する第２のユーザと通信できるようにするための割り込みを、前記移動交換コンポーネント（１０２）が実行することを特徴とする装置（１００）。
【請求項２】
前記移動交換コンポーネント（１０２）が前記割り込みの１つまたは複数の通知を、前記移動通信装置（１０６）を使用する前記第２のユーザに伝達する、請求項１に記載の装置（１００）。
【請求項３】
前記既存のアクティブな呼が、前記移動通信装置（１０６）と１つまたは複数のその他の通信装置との間の既存のアクティブな呼を含み、
前記移動交換コンポーネント（１０２）が、前記移動通信装置（１０６）と前記１つまたは複数のその他の通信装置との間の前記既存のアクティブな呼に前記第１のユーザが参加できるようにするための前記割り込みを実行し、
前記移動交換コンポーネント（１０２）が、前記割り込みの１つまたは複数の通知を前記１つまたは複数のその他の通信装置に伝達する、請求項１に記載の装置（１００）。
【請求項４】
前記移動交換コンポーネント（１０２）が前記第１のユーザから許可コードを受け取り、
前記移動交換コンポーネント（１０２）が前記第１のユーザからの前記許可コードを使用して前記割り込みを実行する、請求項１に記載の装置（１００）。
【請求項５】
移動交換コンポーネント（１０２）が、前記第２のユーザからの１つまたは複数の優先ユーザ指定を使用して、前記第１のユーザが優先ユーザかどうかを判断し、
前記移動交換コンポーネント（１０２）が、前記第１のユーザが優先ユーザであると判断した後、ただちに前記割り込みを実行して前記優先ユーザが前記第２のユーザと通信できるようにする、請求項１に記載の装置（１００）。
【請求項６】
前記移動交換コンポーネント（１０２）が前記移動通信装置（１０６）のためのホーム移動交換局（１１４）を含み、前記ホーム移動交換局（１１４）が前記割り込みの要求を受け取り、
前記移動通信装置（１０６）のためのビジタ移動交換局（１１６）をさらに含み、
前記ホーム移動交換局（１１４）がホーム・ロケーション・レジスタを用いて前記ビジタ移動交換局（１１６）を識別し、
前記ホーム移動交換局（１１４）と前記ビジタ移動交換局（１１６）とが協働して前記割り込みを実行して、前記前記移動通信装置（１０６）を使用する前記第２のユーザとの前記既存のアクティブな呼に前記第１のユーザが参加できるようにする、請求項１に記載の装置（１００）。
【請求項７】
第１のユーザが、移動通信装置（１０６）を使用する第２のユーザと通信できるようにする方法であって、
前記第１のユーザが、既存のアクティブな呼において通話中の、前記移動通信装置（１０６）を使用する前記第２のユーザと通信できるようにするための割り込みを実行することを特徴とする方法。
【請求項８】
前記第１のユーザが、前記既存のアクティブな呼において通話中の、前記移動通信装置（１０６）を使用する前記第２のユーザと通信できるようにするための前記割り込みを実行する工程が、
前記第１のユーザが優先ユーザであると判断する工程と、
前記優先ユーザのコール・レッグ（１２０）を前記第２のユーザのコール・レッグ（１２２）とブリッジする工程とを含む、請求項７に記載の方法。
【請求項９】
ホーム・ロケーション・レジスタを用いて、前記移動通信装置（１０６）と同期しているビジタ移動交換局（１１６）を識別する工程をさらに含み、
前記優先ユーザの前記コール・レッグ（１２０）を前記第２のユーザの前記コール・レッグ（１２２）とブリッジする前記工程が、
前記ビジタ移動交換局（１１６）と協働して、前記優先ユーザの前記コール・レッグ（１２０）を前記第２のユーザの前記コール・レッグ（１２２）とブリッジする工程を含む、請求項８に記載の方法。
【請求項１０】
前記割り込みの１つまたは複数の通知を前記移動通信装置（１０６）に伝達する工程をさらに含む、請求項７に記載の方法。
【発明の詳細な説明】
【技術分野】
【０００１】
本発明は、一般に無線通信ネットワークに関し、より詳細には、移動通信装置のユーザへの優先着信呼（ｐｒｉｏｒｉｔｙ  ｉｎｃｏｍｉｎｇ  ｃａｌｌ）に関する。
【背景技術】
【０００２】
携帯電話サービスのコストが下がるにつれて、携帯電話を主要通信手段とする人が増えている。携帯電話を主要通信手段とする人々の多くは、携帯電話を多用する傾向にある。優先ユーザ（ｐｒｉｏｒｉｔｙ  ｕｓｅｒ）（たとえば、緊急作業員や家族）は、携帯電話を主要通信手段として多用するそのようなターゲット・ユーザに優先呼（ｐｒｉｏｒｉｔｙ  ｃａｌｌ）を発信することが困難な場合がある。ターゲット・ユーザが既存のアクティブな呼（ａｃｔｉｖｅ  ｃａｌｌ）において通話中である場合、優先ユーザは、ターゲット・ユーザに連絡することができない。優先ユーザは、ターゲット・ユーザに容易にアクセスできないときには、話し中の信号または留守電メッセージを受け取ることがある。ターゲット・ユーザに容易にアクセスできないのは、たとえば、ターゲット・ユーザがキャッチホンでの優先呼に応答しないか、キャッチホン機能がないか、ターゲット・ユーザが使用可能な回線をすべて使っているからである。優先ユーザは、ターゲット・ユーザと連絡をとるためには、後からかけなおすか、メッセージを残す必要がある。
【発明の開示】
【発明が解決しようとする課題】
【０００３】
そこで、既存のアクティブな呼において通話中の、携帯電話を使用するターゲット・ユーザに対する優先ユーザのアクセス可能性を高めることが必要とされている。
【課題を解決するための手段】
【０００４】
本発明の一実施態様は、装置を包含する。本装置は、第１のユーザが、既存のアクティブな呼において通話中の、移動通信装置を使用する第２のユーザと通信できるようにするための割り込み（ｂａｒｇｅ−ｉｎ）を実行する移動交換局を含む。
【０００５】
本発明の別の実施態様は、方法を包含する。第１のユーザが、既存のアクティブな呼において通話中の、移動通信装置を使用する第２のユーザと通信できるようにするための割り込みが実行される。
【０００６】
本発明のさらに別の実施態様は、物品を包含する。本物品は、１つまたは複数のコンピュータ可読の信号担持媒体を含む。本物品は、第１のユーザが、既存のアクティブな呼において通話中の、移動通信装置を使用する第２のユーザと通信できるようにするための割り込みの実行手段を、１つまたは複数の該媒体に含む。
本発明の例示的な実施態様の特徴は、明細書本文、特許請求の範囲、および添付図面により明らかになるであろう。
【発明を実施するための最良の形態】
【０００７】
図１の装置は、一例では、移動交換コンポーネント１０２、優先通信装置１０４、移動通信装置１０６、１つまたは複数のその他の通信装置１０８、ホーム・ロケーション・レジスタ１１０、および１つまたは複数のビジタ・ロケーション・レジスタ（ｖｉｓｉｔｏｒ  ｌｏｃａｔｉｏｎ  ｒｅｇｉｓｔｅｒ）１１２を含む。移動交換コンポーネント１０２は、移動通信装置１０６と同期する。たとえば、移動交換コンポーネント１０２は、移動通信装置１０６に呼を経路指定（ルーティング）し、かつ移動通信装置１０６から呼を経路指定する。移動交換コンポーネント１０２は、一例では、ホーム（ｈｏｍｅ）移動交換局（「ＭＳＣ−Ｈ」）１１４および１つまたは複数のビジタ（ｖｉｓｉｔｅｄ）移動交換局（「ＭＳＣ−Ｖ」）１１６を含む。これらが協働して、移動通信装置１０６に呼を経路指定し、かつ移動通信装置１０６から呼を経路指定することは、当業者であれば理解されよう。ホーム移動交換局１１４およびビジタ移動交換局１１６は、一例では、本願明細書で説明するように、記録可能なデータ記憶媒体１１８の具体例を含む。移動交換コンポーネント１０２は、本願明細書で説明するように、優先通信装置１０４のコール・レッグ（ｃａｌｌ  ｌｅｇｓ）、移動通信装置１０６のコール・レッグ、および／またはその他の通信装置１０８のコール・レッグをブリッジかつ／または切断する。
【０００８】
優先通信装置１０４は、一例では、オペレータ端末、緊急作業員端末、または優先ユーザ端末を含む。優先ユーザ（たとえば、オペレータ、緊急作業員、または家族）は、優先通信装置１０４を使用して、移動通信装置１０６を使用するターゲット・ユーザと通信する。優先通信装置１０４は、移動交換コンポーネント１０２と協働して、優先ユーザがターゲット・ユーザと通信できるようにする。たとえば、優先通信装置１０４は、移動交換コンポーネント１０２へのコール・レッグ１２０を含む。移動交換コンポーネント１０２は、本願明細書で説明するように、コール・レッグ１２０を他のコール・レッグとブリッジする、かつ／または切断する。
【０００９】
優先通信装置１０４は、一例では、移動交換コンポーネント１０２に許可コードを送る。移動交換コンポーネント１０２は、優先ユーザがターゲット・ユーザと通信できるようにするために、許可コードを使用して割り込みを実行する。たとえば、移動交換コンポーネント１０２は、許可コードの受領および／または検証した後、ただちに割り込みを実行する。一例では、許可コードは、１つまたは複数のＩＳＤＮユーザ部（「ＩＳＵＰ」）メッセージ（たとえば、イニシャル・アドレス・メッセージ（「ＩＡＭ」））を含む。イニシャル・アドレス・メッセージは、一例では、オペレータ・サービス情報パラメータ（たとえば、特殊な処理タイプ）を含む。移動交換コンポーネント１０２は、オペレータ・サービス情報パラメータ（ｏｐｅｒａｔｏｒ  ｓｅｒｖｉｃｅｓ  ｉｎｆｏｒｍａｔｉｏｎ  ｐａｒａｍｅｔｅｒ）を使用して割り込みを実行する。別の例では、許可コードは、ダイヤルされた番号を含む。たとえば、移動交換コンポーネント１０２は、優先ユーザがダイヤルした優先番号を使用して、割り込みを実行する。優先番号は、留守電メッセージまたは話し中の音が流れている間にダイヤルできる。別の例では、許可コードは、発呼者カテゴリ（ＩＳＵＰ発呼者カテゴリ・パラメータなど）を含む。移動交換コンポーネント１０２は、割り込み権限を与えられた優先ユーザとして指定されたＩＳＵＰ発呼者カテゴリのリストを使用する。さらに別の例では、移動交換コンポーネント１０２は、着信呼が優先ユーザからのものかどうかを判断するために、ターゲット・ユーザが指定した優先ユーザのリストを使用する。移動交換コンポーネント１０２は、優先ユーザの識別子（たとえば、発呼者番号）を優先ユーザのリストと比較して、着信呼が優先ユーザからのものかどうかを判断する。
【００１０】
移動通信装置１０６は、一例では、携帯電話および／または個人用携帯情報端末を含む。ターゲット・ユーザは、移動通信装置１０６を使用して、電話呼および／またはデータを送信したり受信したりする。移動通信装置１０６は、移動交換コンポーネント１０２と協働して、ターゲット・ユーザが優先ユーザおよび／またはその他の通信装置１０８を使用するその他のユーザと通信できるようにする。たとえば、移動通信装置１０６は、移動交換コンポーネント１０２へのコール・レッグ１２２を含む。移動交換コンポーネント１０２は、本願明細書で説明するように、コール・レッグ１２２を他のコール・レッグとブリッジする、かつ／または切断する。
【００１１】
移動通信装置１０６は、一例では、本願明細書で説明するように、１つまたは複数のインバンド通知および／またはアウト・オブ・バンド通知をターゲット・ユーザに伝達する。例示的なインバンド通知は、音声チャネルで移動通信装置１０６に送られる通知（たとえば、バックグラウンド・ノイズや可聴トーン）を含む。例示的なアウト・オブ・バンド通知は、データ・チャネルで移動通信装置１０６に送られる通知（たとえば、移動通信装置１０６の振動要求または点滅）を含む。
【００１２】
移動通信装置１０６および移動交換コンポーネント１０２は、一例では、協働して、ターゲット・ユーザにユーザ・インターフェースを提供する。このユーザ・インターフェースにより、ターゲット・ユーザは、割り込みを実行してよい優先ユーザの１つまたは複数の指定を入力できる。たとえば、ターゲット・ユーザは、このインターフェースを使用して、家族や親密な友人を優先ユーザに指定する。別の例では、移動交換コンポーネント１０２は、移動通信装置１０６を使用するターゲット・ユーザに対するその他の優先ユーザ（たとえば、オペレータや緊急作業員）のリストを含む。移動交換コンポーネント１０２は、移動通信装置１０６を使用するターゲット・ユーザへの着信呼を受信すると、その着信呼が優先ユーザからのものかどうかを調べる。
【００１３】
その他の通信装置１０８は、一例では、公衆交換電話網（「ＰＳＴＮ」）端末、インターネット・プロトコル（「ＩＰ」）・テレフォニー装置、および／または他の移動通信装置を含む。その他の通信装置１０８は、移動交換コンポーネント１０２と協働して、その他の通信装置１０８を使用するその他のユーザがターゲット・ユーザと通信できるようにする。たとえば、その他の通信装置１０８は、移動交換コンポーネント１０２へのコール・レッグ１２４を含む。移動交換コンポーネント１０２は、本願明細書で説明するように、コール・レッグ１２４を他のコール・レッグとブリッジする、かつ／または切断する。
【００１４】
ホーム・ロケーション・レジスタ１１０およびビジタ・ロケーション・レジスタ１１２は、協働して、移動通信装置１０６への呼経路を決定する。移動通信装置１０６が、異なる移動交換局（たとえば、ホーム移動交換局１１４とビジタ移動交換局１１６）の有効範囲間を移動すると、各移動交換局間で、移動通信装置１０６との同期の受け渡しが行われる。移動交換コンポーネント１０２は、移動通信装置１０６の識別子を保持する。この識別子は、一例では、移動局ＩＤ（たとえば、移動識別子番号（ｍｏｂｉｌｅ  ｉｄｅｎｔｉｆｉｅｒ  ｎｕｍｂｅｒ「ＭＩＮ」）、移動加入者識別番号（「ＩＭＳＩ」）、または国際ローミング移動識別子番号（「ＩＲＭ」））を含む。移動通信装置１０６がホーム移動交換局１１４と同期している一例では、ホーム・ロケーション・レジスタ１１０が、移動通信装置１０６の一時ローカル・ディレクトリ番号（「ＴＬＤＮ」）を、識別子から決定する。移動通信装置１０６がビジタ移動交換局１１６と同期している一例では、当業者であれば理解されるように、ホーム・ロケーション・レジスタ１１０、ビジタ・ロケーション・レジスタ１１２、およびビジタ移動交換局１１６が協働して、移動通信装置１０６のＴＬＤＮを、識別子から決定する。
【００１５】
説明のために、装置１００の例示的な動作を示す図を用いる。図１では、移動通信装置１０６を使用するターゲット・ユーザが、その他の通信装置１０８を使用する１人または複数のその他のユーザと、既存のアクティブな呼において通話している。移動交換コンポーネント１０２は、移動通信装置１０６をサービスする。たとえば、移動交換コンポーネント１０２は、その既存のアクティブな呼において、移動通信装置１０６のコール・レッグ１２２と、その他の通信装置１０８の１つまたは複数のコール・レッグ１２４とをブリッジする。
【００１６】
優先通信装置１０４を使用する優先ユーザが呼（たとえば、コール・レッグ１２０を介する着信呼）を、移動通信装置１０６を使用するターゲット・ユーザに向けて発信しようとする。移動交換コンポーネント１０２は、許可コードにより、その着信呼が優先ユーザからのものであると判断する。着信呼が優先ユーザからのものであることを知らせる他の手段については、当業者であれば明らかであろう。
【００１７】
図２では、移動交換コンポーネント１０２が、着信呼が優先ユーザからのものであると判断した後、一例では、ただちに優先ユーザがターゲット・ユーザと通信できるように割り込みを実行する。たとえば、移動交換コンポーネント１０２は、優先通信装置１０４のコール・レッグ１２０と、移動通信装置１０６およびその他の通信装置１０８のコール・レッグ１２２および１２４とをブリッジする。これにより、優先通信装置１０４を使用する優先ユーザが、移動通信装置１０６を使用するターゲット・ユーザと通信できるようになる。移動交換コンポーネント１０２は、一例では、優先ユーザ、ターゲット・ユーザ、およびその他のユーザが互いに通信できるようにする。
【００１８】
移動交換コンポーネント１０２は、一例では、移動通信装置１０６を使用するターゲット・ユーザに、１つまたは複数の割り込み通知を伝達する。別の例では、移動交換コンポーネント１０２は、移動通信装置１０６と協働して、その通知をターゲット・ユーザに伝達する。別の例では、移動交換コンポーネント１０２は、１つまたは複数の通知を、ターゲット・ユーザならびに１人または複数のその他のユーザに伝達する。この通知は、一例では、エントリ通知およびイグジット通知を含む。たとえば、移動交換コンポーネント１０２は、割り込み開始時にエントリ通知を伝達し、割り込み終了時にイグジット通知を伝達する。別の例では、通知は、バックグラウンド・トーンを含む。たとえば、移動交換コンポーネント１０２は、移動通信装置１０６と協働して、割り込み期間中にバックグラウンド・トーンを流す。さらに別の例では、通知は、間欠通知を含む。たとえば、移動交換コンポーネント１０２は、割り込み期間中に、あらかじめ設定した間隔で間欠通知を伝達する。
【００１９】
通知は、一例では、１つまたは複数のインバンド通知および／または１つまたは複数のアウト・オブ・バンド通知を含む。例示的なインバンド通知は、音声通知（たとえば、割り込み期間中に流されるバックグラウンド・トーン）を含む。例示的なアウト・オブ・バンド通知は、移動通信装置１０６の振動および／または光点滅を含む。移動交換コンポーネント１０２は、一例では、ブランク・アンド・バースト信号方式を用いて、移動通信装置１０６および／またはその他の通信装置１０８にアウト・オブ・バンド通知を伝達する。
【００２０】
図３に示す別の例では、移動交換コンポーネント１０２が、優先通信装置１０４のコール・レッグ１２０と移動通信装置１０６のコール・レッグ１２２とをブリッジし、その割り込み期間の間、１つまたは複数のその他の通信装置１０８を保留状態にする。たとえば、移動交換コンポーネント１０２は、割り込み期間の間、その他の通信装置１０８のコール・レッグ１２４を、移動通信装置１０６のコール・レッグ１２２から一時的に切断する。移動交換コンポーネント１０２は、一例では、１つまたは複数の割り込み通知をその他の通信装置１０８に伝達する。既存のアクティブな呼に、移動通信装置１０６と複数のその他の通信装置１０８との間の会議呼が含まれる場合、複数のその他の通信装置１０８は、一例では、移動通信装置１０６から切断されている間も引き続き互いに通信できる。
【００２１】
図４に示すように、装置１００は、一例では、その他の通信装置４０２をさらに含む。優先通信装置１０４を使用する優先ユーザは、一例では、その他の通信装置４０２を使用するユーザの代わりに動作する。たとえば、その他の通信装置４０２を使用するユーザが、移動通信装置１０６のターゲット・ユーザに向けて着信呼を発信しようとする。ターゲット・ユーザがその着信呼に応答しない場合、その他の通信装置４０２を使用するユーザは、優先通信装置１０４を使用する優先ユーザ（たとえば、オペレータ）に向けて２番目の呼を発信する。優先通信装置１０４を使用するオペレータは、移動交換コンポーネント１０２に割り込み要求を送る。割り込みの間、優先通信装置１０４の優先ユーザは、ターゲット・ユーザに対し、その他の通信装置４０２を使用するユーザからの着信呼があることを知らせる。一例では、ターゲット・ユーザは、既存のアクティブな呼から離れ、その他の通信装置４０２を使用するユーザからの着信呼を受信する。別の例では、優先通信装置１０４のオペレータが、２番目の呼とコール・レッグ１２０とのブリッジを開始する。これにより、その他の通信装置４０２を使用するユーザが、移動通信装置１０６を使用するターゲット・ユーザと通信できるようになる。
【００２２】
図５に示すメッセージ・フロー５０２は、一例では、例示的な割り込みを含む。ホーム移動交換局１１４とビジタ移動交換局１１６は協働して、移動通信装置１０６に、かつ移動通信装置１０６から呼を経路指定する。ホーム移動交換局１１４は、移動通信装置１０６に対する呼要求を受け取る。ビジタ移動交換局１１６は、移動通信装置１０６と同期する。当業者であれば理解されるように、ホーム移動交換局１１４は、ビジタ移動交換局１１６を介して、移動通信装置１０６に呼を経路指定する。
【００２３】
ホーム移動交換局１１４が、優先通信装置１０４から優先呼の呼要求（たとえば、イニシャル・アドレス・メッセージ（「ＩＡＭ」））を受け取る（工程１）。ＩＡＭメッセージは、移動通信装置１０６の移動ディレクトリ番号（「ＭＤＮ」）と等しい被呼者番号を含む。ＩＡＭメッセージはさらに、優先通信装置１０４を使用するユーザが優先ユーザであることを示すオペレータ・サービス情報パラメータを含む。
【００２４】
ホーム移動交換局１１４は、移動通信装置１０６の移動識別番号（「ＭＩＮ」）を調べる。ホーム移動交換局１１４は、ホーム・ロケーション・レジスタ１１０を用いて、ビジタ移動交換局１１６を識別する。たとえば、ホーム移動交換局１１４は、ＭＩＮを使用して、移動通信装置１０６の位置および／または移動通信装置１０６への経路をホーム・ロケーション・レジスタ１１０に要求する（工程２）。ホーム・ロケーション・レジスタ１１０は、移動通信装置１０６が最後に登録されたビジタ・ロケーション・レジスタ１１２と連絡をとり、移動通信装置１０６への経路を要求する（工程３）。ビジタ・ロケーション・レジスタ１１２は、移動通信装置１０６の一時ローカル・ディレクトリ番号（「ＴＬＤＮ」）をビジタ移動交換局１１６に要求する（工程４）。ビジタ移動交換局１１６は、移動通信装置１０６のＴＬＤＮを調べ、そのＴＬＤＮをビジタ・ロケーション・レジスタ１１２に送る（工程５）。ビジタ・ロケーション・レジスタ１１２は、ホーム・ロケーション・レジスタ１１０にＴＬＤＮを返す（工程６）。当業者であれば理解されるように、ホーム・ロケーション・レジスタ１１０は、ホーム移動交換局１１４にＴＬＤＮを返す（工程７）。
【００２５】
ホーム移動交換局１１４は、呼要求（たとえば、ＩＡＭ）をビジタ移動交換局１１６に送る（工程８）。ＩＡＭは、ＴＬＤＮおよびオペレータ・サービス情報パラメータを含む。ビジタ移動交換局１１６は、呼要求を確かに受け取ったことを、ホーム移動交換局１１４および優先通信装置１０４に伝える（工程９および１０）。たとえば、当業者であれば理解されるように、ビジタ移動交換局１１６がホーム移動交換局１１４にアドレス完了メッセージ（「ＡＣＭ」）を送り、ホーム移動交換局１１４がＡＣＭを優先通信装置１０４に転送する。
【００２６】
ビジタ移動交換局１１６は、割り込みを実行して、優先通信装置１０４を使用する優先ユーザが、移動通信装置１０６を使用するターゲット・ユーザと通信できるようにする（工程１１）。たとえば、ビジタ移動交換局１１６は、コール・レッグ１２０（図１〜４）とコール・レッグ１２２（図１〜４）をブリッジして優先呼を接続する。ビジタ移動交換局１１６は、一例では、移動通信装置１０６に光点滅信号を送って、ターゲット・ユーザに割り込みを知らせる。
【００２７】
ビジタ移動交換局１１６は、コール・レッグ１２０および１２２をブリッジした後、ただちに、確かにブリッジしたことを、ホーム移動交換局１１４に伝える（工程１２）。ホーム移動交換局１１４は、確かにブリッジが行われたことを、優先通信装置１０４に伝える（工程１３）。ターゲット・ユーザと優先ユーザの間の通信が終了したら、ビジタ移動交換局１１６がその優先呼を解放する（工程１４）。
【００２８】
別の例では、移動通信装置１０６がホーム移動交換局１１４と同期する。ホーム・ロケーション・レジスタ１１０が移動通信装置１０６のＴＬＤＮを調べるため、工程３〜６が省かれる。当業者であれば理解されるように、ホーム移動交換局１１４は、ビジタ移動交換局１１６を介さず、移動通信装置１０６と直接通信するため、工程８、９、および１２が省かれ、工程１１はホーム移動交換局１１４が実行する。
【００２９】
装置１００は、一例では、１つまたは複数の電子コンポーネント、ハードウェア・コンポーネント、コンピュータ・ソフトウェア・コンポーネントなど、複数のコンポーネントを含む。装置１００では、そのようなコンポーネントのいくつかを結合したり、分割したりできる。当業者であれば理解されるように、装置１００の例示的なコンポーネントは、いくつかのプログラミング言語のいずれかで作成または実装された一組の（および／または一連の）コンピュータ命令を用いる（かつ／または含む）。
【００３０】
装置１００は、一例では、１つまたは複数のコンピュータ可読信号担持媒体を用いる。装置１００に用いるコンピュータ可読信号担持媒体には、ホーム移動交換局１１４およびビジタ移動交換局１１６の記録可能データ記憶媒体１１８が含まれる。たとえば、装置１００に用いるコンピュータ可読信号担持媒体には、１つまたは複数の磁気、電気、光、生物、原子などによるデータ記憶媒体が含まれる。一例では、コンピュータ可読信号担持媒体は、装置１００を含む（または装置１００と接続された）ネットワーク（たとえば、電話網、ローカル・エリア・ネットワーク（「ＬＡＮ」）、インターネット、および無線ネットワークのうちの１つまたは複数）上で伝送される変調搬送波信号を含む。
【００３１】
本願明細書で説明した工程や動作は例示的なものに過ぎない。これらの工程や動作に対し、本発明の趣旨から逸脱しない、様々な変形形態が存在しうる。たとえば、これらの工程の実行順序を変更したり、工程を追加、削除、あるいは修正したりできる。
【００３２】
本願明細書において本発明の例示的な実施態様を詳細に図示および説明してきたが、本発明の趣旨から逸脱せずに様々な修正、追加、置換などを行うことができ、それゆえ、それらが、添付の特許請求の範囲で定義される本発明の範囲内にあると見なされることは、当業者であれば明らかであろう。
【図面の簡単な説明】
【００３３】
【図１】装置の一実施態様を示す図であり、移動交換コンポーネント、優先通信装置、移動通信装置、１つまたは複数のその他の通信装置、ホーム・ロケーション・レジスタ、およびビジタ・ロケーション・レジスタを含み、移動通信装置と１つまたは複数のその他の通信装置が既存のアクティブな呼において通話中である状態を表している図である。
【図２】図１と類似しており、既存のアクティブな呼とブリッジしている、優先通信装置のコール・レッグを示す図である。
【図３】図２と類似しており、保留中の１つまたは複数のその他の通信装置のコール・レッグを示す図である。
【図４】図１と類似しており、その他の通信装置に代わって動作している優先通信装置を示す図である。
【図５】図１の装置の実施態様の例示的な部分メッセージ・フローを示す図であり、移動交換局が割り込みを実行する様子を表している図である。
【図１】
2005218113.tif 000003
【図２】
2005218113.tif 000004
【図３】
2005218113.tif 000005
【図４】
2005218113.tif 000006
【図５】
2005218113.tif 000007